(57)【特許請求の範囲】
【請求項１】
家屋の柱などの縦骨材間に下記のパネル体を配して成る家屋であって、下方に配されるパネル体の上端部と、この下方のパネル体の上方に配されるパネル体の下端部とは、この上下のパネル体同士間に横設される横材を介して連結されていることを特徴とする家屋。
記
平板と該平板の側端部に表裏に突出する状態で縦部材が連結されたもので、長さ方向の端部にして前記縦部材の表裏面の少なくとも一方には、前記縦部材を切欠して形成された前記横材を配設する配設部が設けられた構造のパネル体。
【請求項２】
家屋の柱などの縦骨材間に下記のパネル体を配して成る家屋であって、下階の壁構造となるパネル体の上端部と、この下階のパネル体の上方に配され上階の壁構造となるパネル体の下端部とは、左右に立設される縦骨材間に架設される横材を介して連結されていることを特徴とする家屋。
記
平板と該平板の側端部に表裏に突出する状態で縦部材が連結されたもので、長さ方向の端部にして前記縦部材の表裏面の少なくとも一方には、前記縦部材を切欠して形成された前記横材を配設する配設部が設けられた構造のパネル体。
【請求項３】
請求項１，２いずれか１項に記載の家屋において、前記配設部は、前記縦部材の表面及び裏面に設けられていることを特徴とする家屋。
【請求項４】
請求項１〜３いずれか１項に記載の家屋において、前記配設部は、前記パネル体の長さ方向の両端部に設けられていることを特徴とする家屋。
【請求項５】
請求項１〜４いずれか１項に記載の家屋において、前記パネル体は、前記平板の側端部を前記縦部材の内面に設けた凹溝に嵌合連結して構成されていることを特徴とする家屋。
【請求項６】
請求項５記載の家屋において、前記凹溝には接着剤が塗布されていることを特徴とする家屋。
【請求項７】
請求項１〜６いずれか１項に記載の家屋において、前記横材は根太であることを特徴とする家屋。
【請求項８】
家屋の柱などの縦骨材間に下記のパネル体を配して成る家屋の壁構築方法であって、下方に配されるパネル体の上端部と、この下方のパネル体の上方に配されるパネル体の下端部とを、この上下のパネル体同士間に横設される横材を介して連結することを特徴とする家屋の壁構築方法。
記
平板と該平板の側端部に表裏に突出する状態で縦部材が連結されたもので、長さ方向の端部にして前記縦部材の表裏面の少なくとも一方には、前記縦部材を切欠して形成された前記横材を配設する配設部が設けられた構造のパネル体。
【請求項９】
家屋の柱などの縦骨材間に下記のパネル体を配して成る家屋の壁構築方法であって、下階の壁構造となるパネル体の上端部と、この下階のパネル体の上方に配され上階の壁構造となるパネル体の下端部とを、左右に立設される縦骨材間に架設される横材を介して連結することを特徴とする家屋の壁構築方法。
記
平板と該平板の側端部に表裏に突出する状態で縦部材が連結されたもので、長さ方向の端部にして前記縦部材の表裏面の少なくとも一方には、前記縦部材を切欠して形成された前記横材を配設する配設部が設けられた構造のパネル体。
【発明の詳細な説明】
【技術分野】
【０００１】
本発明は、家屋及び家屋の壁構築方法に関するものである。
【背景技術】
【０００２】
従来から、家屋の壁構築方法として、例えば特開２００２−１２９６８０号に開示される枠組壁工法（以下、従来工法）が提案されている。
【０００３】
この従来工法は、例えば基礎の上部に床組50Ａ（プラットフォーム）を設け、この床組50Ａの上に軸組50Ｂを立ち上げて壁を形成して下階を設け、この下階の軸組50Ｂの上に床組50Ａを設け、この床組50Ａの上に軸組50Ｂを立ち上げて壁を形成して上階を設けるという、各階において床組50Ａと軸組50Ｂを順に積み上げていく工法である。
【０００４】
この従来工法により構築された家屋は、図９に図示したような壁構造を具備し、左右に立設される縦骨材（隅柱）間に設けられる間柱51同士の間隔は、図示省略のころび止め及び下枠52と上枠53との間に架設される図示省略の筋交いを介して保持される。
【０００５】
符号54は頭つなぎ、55は側根太、56は床根太、57は床下張り、58は土台、59は布基礎である。
【０００６】
【特許文献１】特開２００２−１２９６８０公報
【発明の開示】
【発明が解決しようとする課題】
【０００７】
ところで、近年、日本各地で地震が頻発しており、木造建築家屋に対してより強い耐震性が求められる中、この従来の枠組壁工法で構築された家屋は、強度上不十分であるとされる。
【０００８】
具体的には、この従来工法で構築された家屋は、下階の壁構造と上階の壁構造との間に継ぎ目が発生してしまう構造であり（この下階と上階との継ぎ目部分が揺れに弱い）、その他にも、前述した各構成部材同士を釘やボルトなど止着部材60で止着する際、この止着部材60を部材同士の継ぎ目に対して斜め方向に挿入して連結する構造であるなど、種々の理由から強度上不十分であるとされる。
【０００９】
本発明は、前述した問題点に着目し、種々の実験・研究を繰り返し行った結果、従来にない作用効果を発揮する画期的な家屋及び家屋の壁構築方法を開発した。
【課題を解決するための手段】
【００１０】
添付図面を参照して本発明の要旨を説明する。
【００１１】
家屋の柱などの縦骨材間に下記のパネル体１を配して成る家屋であって、下方に配されるパネル体１の上端部と、この下方のパネル体１の上方に配されるパネル体１の下端部とは、この上下のパネル体１同士間に横設される横材４を介して連結されていることを特徴とする家屋に係るものである。                                                    
記
平板２と該平板２の側端部に表裏に突出する状態で縦部材３が連結されたもので、長さ方向の端部にして前記縦部材３の表裏面の少なくとも一方には、前記縦部材３を切欠して形成された前記横材４を配設する配設部５が設けられた構造のパネル体１。
【００１２】
また、家屋の柱などの縦骨材間に下記のパネル体１を配して成る家屋であって、下階の壁構造となるパネル体１の上端部と、この下階のパネル体１の上方に配され上階の壁構造となるパネル体１の下端部とは、左右に立設される縦骨材間に架設される横材４を介して連結されていることを特徴とする家屋に係るものである。                            
記
平板２と該平板２の側端部に表裏に突出する状態で縦部材３が連結されたもので、長さ方向の端部にして前記縦部材３の表裏面の少なくとも一方には、前記縦部材３を切欠して形成された前記横材４を配設する配設部５が設けられた構造のパネル体１。
【００１３】
また、請求項１，２いずれか１項に記載の家屋において、前記配設部５は、前記縦部材３の表面及び裏面に設けられていることを特徴とする家屋に係るものである。
【００１４】
また、請求項１〜３いずれか１項に記載の家屋において、前記配設部５は、前記パネル体１の長さ方向の両端部に設けられていることを特徴とする家屋に係るものである。
【００１５】
また、請求項１〜４いずれか１項に記載の家屋において、前記パネル体１は、前記平板２の側端部２ａを前記縦部材３の内面に設けた凹溝３ａに嵌合連結して構成されていることを特徴とする家屋に係るものである。
【００１６】
また、請求項５記載の家屋において、前記凹溝３ａには接着剤が塗布されていることを特徴とする家屋に係るものである。
【００１７】
また、請求項１〜６いずれか１項に記載の家屋において、前記横材４は根太であることを特徴とする家屋に係るものである。
【００１８】
また、家屋の柱などの縦骨材間に下記のパネル体１を配して成る家屋の壁構築方法であって、下方に配されるパネル体１の上端部と、この下方のパネル体１の上方に配されるパネル体１の下端部とを、この上下のパネル体１同士間に横設される横材４を介して連結することを特徴とする家屋の壁構築方法に係るものである。                            
記
平板２と該平板２の側端部に表裏に突出する状態で縦部材３が連結されたもので、長さ方向の端部にして前記縦部材３の表裏面の少なくとも一方には、前記縦部材３を切欠して形成された前記横材４を配設する配設部５が設けられた構造のパネル体１に係るものである。
【００１９】
また、家屋の柱などの縦骨材間に下記のパネル体１を配して成る家屋の壁構築方法であって、下階の壁構造となるパネル体１の上端部と、この下階のパネル体１の上方に配され上階の壁構造となるパネル体１の下端部とを、左右に立設される縦骨材間に架設される横材４を介して連結することを特徴とする家屋の壁構築方法に係るものである。          
記
平板２と該平板２の側端部に表裏に突出する状態で縦部材３が連結されたもので、長さ方向の端部にして前記縦部材３の表裏面の少なくとも一方には、前記縦部材３を切欠して形成された前記横材４を配設する配設部５が設けられた構造のパネル体１に係るものである。
【発明の効果】
【００２０】
本発明は上述のように構成したから、例えば下階の壁構造と上階の壁構造とが堅固に連結されることになり極めて耐震性に秀れた家屋が得られ、しかも、構成材（材料）が少なくて済み簡易な構造であるから、極めて施工性に秀れてコスト安であるなど、従来にない作用効果を発揮する画期的な家屋及び家屋の壁構築方法となる。
【発明を実施するための最良の形態】
【００２１】
好適と考える本発明の実施形態を、図面に基づいて簡単に説明する。
【００２２】
下方に配されるパネル体１の上端部と、この下方のパネル体１の上方に配されるパネル体１の下端部とを、この上下のパネル体１同士間に横設される横材４を介して連結する。
【００２３】
具体的には、下階の壁構造となるパネル体１の上端部と、この下階のパネル体１の上方に配され上階の壁構造となるパネル体１の下端部とを、左右に立設される縦骨材（例えば柱）間に架設される横材４（例えば根太）を介して連結する。
【００２４】
従って、前述した従来工法に比し、下階の壁構造と上階の壁構造との一体化が強く、よって、堅固な家屋を構築することができ、しかも、材料が少なくて済み簡易な構造であるから（前述した従来工法における下枠52、上枠53、ころび止め、筋交い、頭つなぎ54及び間柱51は不要となる。）、極めて施工性に秀れてコスト安となり、しかも、構成材（材料）が少なく済むことで資源の枯渇問題にも適した工法と言える。
【実施例】
【００２５】
本発明の具体的な実施例について図面に基づいて説明する。
【００２６】
本実施例は、家屋の柱などの縦骨材間にパネル体１を配して成る家屋の壁構築方法であり、下記構成のパネル体１を用いて家屋を構築する。
【００２７】
パネル体は、図１，２に図示したように木製の平板２と該平板２の左右側端部２ａに連結する木製の縦部材３とで構成されている。
【００２８】
この縦部材３の内面には凹溝３ａが形成されており、この凹溝３ａに平板２の側端部２ａを嵌合して連結している。この平板２に対する連結に際しては、凹溝３ａ内に接着剤が塗布される。
【００２９】
また、縦部材３には、図１，２に図示したように縦部材３の長さ方向の端部（上下端部）にして平板２に連設する部位以外の前後部位に段部３ｂ（切欠部）が形成されている。
【００３０】
この切欠部３ｂを設けることにより、パネル体１の上下端部には、後述する横材４を平板２の表裏面に重合状態で連結するための配設部５が形成される。尚、この配設部５の構成として、縦部材３の上下端部から平板２の上下端部を突出させただけの構成（平板２を縦部材３の端面から突出して形成した場合における該平板２の端部両側とした構成）としても良いが、前述したように縦部材３の上下端部を一部残した場合には、横材４を連結した際の強度をより一層強くすることができる。
【００３１】
尚、本実施例では、パネル体１の上下端部双方に配設部５を設けているが、他の階と連結する一方の端部のみに設けるようにしても良い。
【００３２】
以上の構成のパネル体１は、例えば工場において下記のような製造方法において量産される。
【００３３】
具体的には、図３中(ａ)に図示したように長尺の平板２の左右側端部に長尺の縦部材３を連結して長尺パネル体１Ａを得る。
【００３４】
続いて、図３中(ｂ)に図示したように長尺パネル体１Ａを所定長さ位置で切断して短尺パネル体１Ｂを得る。
【００３５】
続いて、図３中(ｃ)に図示したように短尺パネル体１Ｂの縦部材３の上下端部にして平板２に連設する部位以外の前後部位に切欠部３ｂを形成し、配設部５を上下端部に有するパネル体１が完成する。
【００３６】
次に、前述したパネル体１を用いた家屋の壁構築方法について説明する。尚、本実施例では、パネル体１を配する部位及びその周辺部位のみの構築方法について説明する。
【００３７】
先ず、布基礎８の上面に土台としての機能を発揮する一対の根太９（側根太）を配設する。この一対の側根太９は隙間Ｓ１を介して配設され、図示省略のアンカーボルトを介して布基礎８に固定される。
【００３８】
続いて、床根太12を配設し、この床根太12の上面に床下張り11を配設する。符号10は床下張り受け材である。
【００３９】
続いて、並設する複数のパネル体１の下端配設部５を該側根太９の隙間Ｓ１に嵌挿させ、パネル体１を側根太９の上に立設状態として一階の壁構造を形成する。このパネル体１の下端配設部５と側根太９とは重合状態となり、この重合状態での連結は、該側根太９の外側から水平方向に嵌挿させた止着部材としてのボルト17の止着により行われる（図４，６参照）。
【００４０】
また、図８に図示したようにこの複数並設されるパネル体１の左右部位にして側根太９の上面所定位置には縦骨材としての柱６が立設され、この柱６に隣接するパネル体１の縦部材３は柱６に対してボルト17を介して連結されるとともに、隣接するパネル体１の縦部材３同士はボルト17を介して連結される。
【００４１】
続いて、この各パネル体１の上端配設部５の表裏面に一対の横材４を重合状態に配して連結する。この一対の横材４は前述した左右の縦骨材としての柱６同士間に架設される根太（側根太）であり、このパネル体１の上端配設部５と側根太４との重合状態での連結は、該側根太４の外側から水平方向に嵌挿させた止着部材としてのボルト17の止着により行われる（図４，６参照）。この際、一対の側根太４同士間には隙間Ｓ２が形成される。
【００４２】
また、各パネル体１の上端部内側の切欠部３ｂ同士間には側根太４及び床根太16を受ける受け材14が架設されている。
【００４３】
続いて、床根太16を配設し、この床根太16の上面に床下張り15を配設する。符号13は床下張り受け材である。
【００４４】
続いて、並設する各パネル体１の下端配設部５を側根太４の隙間Ｓ２に嵌挿させ、パネル体１を側根太４の上に立設状態として二階の壁構造を形成する。このパネル体１の下端配設部５と側根太４とは重合状態となり、この重合状態での連結は、該側根太４の外側から水平方向に嵌挿させた止着部材としてのボルト17の止着により行われる（図４，６参照）。尚、図５は二階の壁構造を形成するパネル体１に係る縦部材３の下端部を切欠して平板２にまで床下張り15が届くように設けた場合であり、家屋を構成する部材同士の一体化をより高めることができる。
【００４５】
以上のように、本実施例は、パネル体１を用いて図４，６に図示したような上下の各階の壁構造が構築される。
【００４６】
また、本実施例では、窓を設ける為の開口部Ｗを形成する場合、図６に図示したように開口部Ｗとなる部位の上下位置に小型化したパネル体１’を配設することで構成しており、下方に配されるパネル体１’の上端配設部５の表裏面には一対の横材７（まぐさ）が重合状態に配されて連結され、上方に配されるパネル体１’の下端配設部５の表裏面には一対の横材７（まぐさ）が重合状態に配されて連結される。この各まぐさ７は、開口部Ｗとなる部位の左右位置に配されるパネル体１同士間に架設されており、この各パネル体１に係る一側の縦部材３は図７に図示したようにまぐさ７を配する凹部３ｃが形成されている。
【００４７】
また、開口部Ｗとなる部位の上方位置に配されるパネル体１’の上端配設部５と、二階の壁構造を形成するパネル体１の下端配設部５とは、各配設部５の表裏面に一対の側根太４が重合状態に配されて連結される。
【００４８】
この形成方法で構築された開口部Ｗは、従来工法で構築された場合に比し、家屋の強度を飛躍的に向上することができる点を実験により確認している。
【００４９】
尚、本実施例では、止着部材としてボルト17を採用しているが、釘やネジやビスなどでも良いのは勿論である。
【００５０】
本実施例は上述のように構成したから、前述した従来工法に比し、下階の壁構造と上階の壁構造との一体化が強く、堅固な家屋を構築することができ、しかも、材料が少なくて済み簡易な構造であるから（前述した従来工法における下枠52、上枠53、ころび止め、筋交い、頭つなぎ54及び間柱51は不要となる。）、極めて施工性に秀れてコスト安となり、しかも、構成材（木材）が少なく済むことで資源の枯渇問題にも適した工法となる。
【００５１】
また、本実施例は、パネル体１の配設部５に対して一対の横材４を重合状態とし、この重合部位に対して水平方向からボルト17（止着部材）を嵌挿させて連結する構造であるから、引き抜き力に対する抵抗を、ボルト17の引き抜き抵抗からボルト17のせん断抵抗へと置換されることになり、抵抗力が飛躍的に向上することになり、しかも、ボルト17を部材同士の継ぎ目に対して斜め方向から挿入する従来工法に比し、簡易に且つ良好にボルト17を挿入することができることになる為、堅固な連結状態が確実に得られることになる。
【００５２】
また、本実施例は、パネル体１の平板２に対して一対の横材４を重合状態としてこの重合部位にボルト17を嵌挿させて連結する構造である為、単なる一枚の板材と一枚の板材との連結構造に比し、例えばこの連結部位に付与された振動が分散されることになり強度上秀れることになる。
【００５３】
尚、本発明は、本実施例に限られるものではなく、各構成要件の具体的構成は適宜設計し得るものである。
【図面の簡単な説明】
【００５４】
【図１】本実施例に係るパネル体１を示す斜視図である。
【図２】本実施例に係るパネル体１を示す分解斜視図である。
【図３】本実施例に係るパネル体１の製造工程説明図である。
【図４】本実施例により構築される壁構造の説明断面図である。
【図５】本実施例により構築される別の壁構造の説明断面図である。
【図６】本実施例に係る家屋の壁構築方法の説明図である
【図７】本実施例に係るパネル体１の縦部材３の一部を切り欠いた状態を示す斜視図である。
【図８】本実施例により構築される壁構造の説明平断面図である。
【図９】従来工法により構築される壁構造の説明断面図である。
【符号の説明】
【００５５】
１  パネル体
３  縦部材
４  横材
５  配設部
【図１】
0004945349.tif 000002
【図２】
0004945349.tif 000003
【図３】
0004945349.tif 000004
【図４】
0004945349.tif 000005
【図５】
0004945349.tif 000006
【図６】
0004945349.tif 000007
【図７】
0004945349.tif 000008
【図８】
0004945349.tif 000009
【図９】
0004945349.tif 000010